(57)【特許請求の範囲】
【請求項１】
パレットと、前記パレット上部の収容空間を囲むように前記パレットの周縁に沿って立設される側板と、前記側板により囲まれた収容空間の上部開口を閉塞する上蓋とを有する組み立て式コンテナであって、
前記側板は、
前記パレットの上面角部に設置されるコーナー金具に回動可能な状態で固定的に装着され、前記パレットの上部周縁に立設された状態又は前記パレット上に畳まれた状態に回動される、対向する２枚の固定側板と、
前記固定側板の側辺に形成された溝に差し込まれ、対向する前記固定側板の対向する側辺間に各々設置される２枚の差込側板とを有し、
前記差込側板は、前記固定側板の対向する方向に沿って分割され、前記固定側板の前記対向する側辺間に設置される場合には連結されて一体化される複数の分割差込側板を有し、
前記分割差込側板の各々は、前記パレットと紐状部材により連結されており、
前記上蓋は、前記固定側板の対向する方向に沿って分割され、蝶番部材により折り曲げ可能に連結された複数の分割上蓋を有し、
前記上蓋のいずれか一方の端部の前記分割上蓋は、いずれか一方の前記固定側板の上辺に、当該上辺に垂直な方向にスライド移動自在で離脱不能に連結されている
ことを特徴とする組み立て式コンテナ。
【請求項２】
前記パレットの上面の、前記差込側板が前記固定側板の側辺間に設置される際に前記分割差込側板の連結部分が配置される位置には、当該差込側板の当該連結部分を当該パレットの周縁に沿った所定位置に保持する側板保持溝が設置されていることを特徴とする請求項１に記載の組み立て式コンテナ。
【請求項３】
前記紐状部材は、一端が前記分割差込側板の下面に設置されており、
前記パレットは、当該パレットの内部に形成された前記紐状部材を収容する空間であって、前記差込側板が前記パレットの上部周縁に立設された状態において当該差込側板の下面の前記紐状部材の設置されている箇所が配置される位置に開口を有し、当該差込側板が前記立設された状態において前記紐状部材を収容する紐状部材収容部を有し、
前記紐状部材の他端は、前記紐状部材収容部の内部から抜離不能に前記パレットに装着されている
ことを特徴とする請求項１又は２に記載の組み立て式コンテナ。
【請求項４】
前記上蓋の分割上蓋を連結する蝶番部材は、折り曲げ部がゴム材製であることを特徴とする請求項１〜３のいずれかに記載の組み立て式コンテナ。
【請求項５】
前記差込側板を配設する方向の長さが１５００〜２２００ｍｍ、前記固定側板を配設する方向の長さが９００〜１５００ｍｍの平面形状を有することを特徴とする請求項１〜４のいずれかに記載の組み立て式コンテナ。
【請求項６】
航空機による物品の搬送用である請求項１〜５のいずれかに記載の組み立て式コンテナ。
【発明の詳細な説明】
【技術分野】
【０００１】
本発明は、例えば航空機による物品の搬送等に用いて好適な大型の組み立て式コンテナに関するものであり、構成部材の紛失等を防止することのできる組み立て式コンテナに関するものである。
【背景技術】
【０００２】
所望の物品等を収容して搬送や保管等するコンテナにおいて、使用時にはパレット上に側板（側壁パネル）を立設して収容空間を形成し、非使用時には側板をパレット上に折り畳むようにした組み立て式コンテナが知られている（例えば、特許文献１及び特許文献２参照）。組み立て式コンテナは、回送時や保管時のコンテナの容積を小さくすることができるので、繰り返し使用するコンテナにおいて非常に有効である。
【０００３】
コンテナには、物品の収容あるいは取り出しを作業性よく行うために、側板の一部（例えば１枚あるいは２枚）又は全部をパレットから分離してしまう形態のものがある。また、収容空間の上部開口を閉塞する上蓋についても、物品を収容あるいは取り出す際にはコンテナ（コンテナの側板）から分離する形態のものがある。組み立て式コンテナにおいては、組み立て、あるいは、折り畳みを容易にするために、また、折り畳んだ状態の容積を少しでも小さくし取り扱いを効率よく容易に行えるようにするために、側板や上蓋をそのような分離可能（着脱自在）な部材として構成することが多い。
【０００４】
組み立て式コンテナは何度も繰り返し使用されるものがほとんどであり、そのためには組み立て式コンテナを構成する部材が常に揃っている必要がある。仮に、側板が１枚でも無い場合、上蓋が無い場合、あるいは、その他必要な部材が無い場合には、そのコンテナは全く使用ができないものとなり、物品の搬送等の作業に支障が生じる上に、そのコンテナは廃棄するしかなく資源の無駄である。
従って、組み立て式コンテナを取り扱う際には、その構成部材を紛失等させずに常に完全に揃った状態としておくことが極めて重要である。
【先行技術文献】
【特許文献】
【０００５】
【特許文献１】特開２００１−９７３７３号公報
【特許文献２】特開２００２−２５５１６５号公報
【発明の概要】
【発明が解決しようとする課題】
【０００６】
ところで、近年、航空機による物流が急速に拡大しているという状況がある。航空機により物品を搬送する場合には、効率よく航空機に荷物を積載するために、規格化されたサイズのコンテナが使用される。航空機用のコンテナの規格は、トラック等による搬送において用いられるコンテナと比較して大型である。トラック等において用いられるコンテナのサイズは、例えば９７０×１１３０×９８０（ｍｍ）と言うように略１辺１ｍ程度の大きさであるが、航空機用のパレットの平面サイズは、例えば１５００×２２００×１６００（ｍｍ）というような非常に大きなサイズである。
【０００７】
また、航空機などによる貨物の輸送の際には、コンテナを回送する際の確認のために、あるいは、国境などを通過する際の関税法上の理由あるいは保安上の理由のために、回送中のコンテナについて、搬送されている部材の内容や搬送状態等を検査する状況が種々の場面において起こり得る。そのような状況において、組み立て式コンテナの構成部材が１つでも欠如していれば、あるいは、重複する不要な部材が混入していれば、組み立て式コンテナの搬送、取引、サービスあるいは移動等が適切に行えなくなり、不測の不利益を被る可能性がある。従って、航空機などによる貨物の輸送においては、前述したように組み立て式コンテナの構成部材を紛失等させずに常に完全に揃った状態としておくことが一層重要である。
【０００８】
しかしながら、従来、航空機などによる貨物の輸送に適した大型の組み立て式コンテナであり、構成部材（部品）を紛失することが無く、常に、必要な部材が揃っている状態を維持することのできる組み立て式コンテナとして適切なものが無かった。従って、そのような組み立て式コンテナが要望されているのが現状である。
【０００９】
本発明はこのような課題に鑑みてなされたものであって、その目的は、航空機などによる貨物の輸送に適した大型の組み立て式コンテナであり、上蓋や側板のような着脱自在な部材（部品）を紛失することが無く、常に、必要な部材が揃っている状態を維持することのできる組み立て式コンテナを提供することにある。
【課題を解決するための手段】
【００１０】
前記課題を解決するために、本発明の組み立て式コンテナは、パレットと、前記パレット上部の収容空間を囲むように前記パレットの周縁に沿って立設される側板と、前記側板により囲まれた収容空間の上部開口を閉塞する上蓋とを有する組み立て式コンテナであって、前記側板は、前記パレットの上面角部に設置されるコーナー金具に回動可能な状態で固定的に装着され、前記パレットの上部周縁に立設された状態又は前記パレット上に畳まれた状態に回動される、対向する２枚の固定側板と、前記固定側板の側辺に形成された溝に差し込まれ、対向する前記固定側板の対向する側辺間に各々設置される２枚の差込側板とを有し、前記差込側板は、前記固定側板の対向する方向に沿って分割され、前記固定側板の前記対向する側辺間に設置される場合には連結されて一体化される複数の分割差込側板を有し、前記分割差込側板の各々は前記パレットと紐状部材により連結されており、前記上蓋は前記固定側板の対向する方向に沿って分割され、蝶番部材により折り曲げ可能に連結された複数の分割上蓋を有し、前記上蓋のいずれか一方の端部の前記分割上蓋は、いずれか一方の前記固定側板の上辺に、当該上辺に垂直な方向にスライド移動自在で離脱不能に連結されていることを特徴とするものである。
【００１１】
好適には、前記パレットの上面の、差込側板が前記固定側板の側辺間に設置される際に前記分割差込側板の連結部分が配置される位置には、当該差込側板の連結部分を当該パレットの周縁に沿った所定位置に保持する側板保持溝が設置されている。
【００１２】
また好適には、前記紐状部材は、一端が前記分割差込側板の下面に設置されており、前記パレットは、当該パレットの内部に形成された前記紐状部材を収容する空間であって、前記差込側板が前記パレットの上部周縁に立設された状態において当該差込側板の下面の前記紐状部材の設置されている箇所が配置される位置に開口を有し、当該差込側板が前記立設された状態において前記紐状部材を収容する紐状部材収容部を有し、前記紐状部材の他端は、前記紐状部材収容部の内部から抜離不能に前記パレットに装着されている。
【００１３】
また好適には、前記上蓋の分割上蓋を連結する蝶番部材は、折り曲げ部がゴム材製である。
【００１４】
また好適には、本発明の組み立て式コンテナは、前記差込側板を配設する方向の長さが略１５００〜２２００ｍｍ、前記固定側板を配設する方向の長さが９００〜１５００ｍｍの平面形状を有する。
【００１５】
特定的には、本発明の組み立て式コンテナは、航空機による物品の搬送用である。
【発明の効果】
【００１６】
本発明によれば、航空機などによる貨物の輸送に適した大型の組み立て式コンテナであり、上蓋や側板のような着脱自在な部材（部品）を紛失することが無く、常に、必要な部材が揃っている状態を維持することのできる組み立て式コンテナを提供することができる。
【図面の簡単な説明】
【００１７】
【図１】図１は、本発明の一実施形態の航空機用コンテナの構成を示す分解斜視図である。
【図２】図２は、図１に示した航空機用コンテナのパレット、コーナー金具、及び、固定側板の係止固定部分の構成を示す斜視図である。
【図３】図３は、図１に示した航空機用コンテナの側板の枠部を示す図である。
【図４】図４は、図１に示した航空機用コンテナにおいて固定側板に差込側板（第１の分割差込側板）が差し込まれて設置されている状態を示す平面図である。
【図５】図５は、図１に示した航空機用コンテナの側板の上部係合部を示す斜視図であり、図１のＡの箇所の拡大図である。
【図６】図６は、図１に示した航空機用コンテナの第１の分割差込側板と第２の分割差込側板との連結部の構成を示す斜視図であり、図１のＢの箇所の拡大図である。
【図７】図７は、図１に示した航空機用コンテナの側板保持溝の構成を示す図であり、図１のＣの箇所の断面図である。
【図８】図８は、図１に示した航空機用コンテナにおいて分割差込側板をパレットに接続する連結用鎖（紐状部材）の説明をするための図である。
【図９】図９は、図１に示した航空機用コンテナの上蓋のスライド機構を説明する図である。
【図１０】図１０は、図１に示した航空機用コンテナにおいて、上蓋及び一方の差込側板を開放あるいは閉塞して航空機用コンテナを開閉する状態を示す図である。
【図１１】図１１は、図１に示した航空機用コンテナの組み立て手順を示す模式的な図である。
【図１２】図１２は、図１に示した航空機用コンテナの折り畳み手順を示す第１の模式的な図である。
【図１３】図１３は、図１に示した航空機用コンテナの折り畳み手順を示す第２の模式的な図である。
【発明を実施するための形態】
【００１８】
本発明の一実施形態について図１〜図１３を参照して説明する。
本実施形態においては、航空機等により物品を搬送する際に用いて好適な航空機用の組み立て式コンテナ（以下、航空機用コンテナ又は単にコンテナと称する。）を例示して本発明を説明する。
【００１９】
図１は、本発明の一実施形態に係る航空機用コンテナ１の構成を示す分解斜視図である。
図１に示すように、航空機用コンテナ１は、主な構成部として、パレット１００、下金枠２００、底板３００、側板４００及び上蓋５００を有する。
【００２０】
パレット１００は、コンテナ１の搬送台である。パレット１００の側面には、フォークリフトの爪部が差し込まれるリフト挿入用空間１１０が形成されている。本実施形態のパレット１００は、アルミニウム製の角柱部材、Ｌ字状部材あるいは板状部材を溶接等により連結して構成したスキットタイプのパレットである。なお、パレット１００を構成する金属は、鉄、ステンレス等アルミニウム以外の金属であってもよい。あるいはまた、パレット１００は、樹脂等により一括一体成形したものであってもよい。
【００２１】
本実施形態のパレット１００は、長手方向長さ２２００（ｍｍ）、短手方向長さ１５００（ｍｍ）の平面形状を有する大型のものである。また、パレット１の高さは１３０（ｍｍ）である。
【００２２】
また、パレット１００の長手方向の両側端部には、図８を参照して後述するように側板４００の差込側板４４０（第１の分割差込側板４５０、第２の分割差込側板４７０）に設置された連結用鎖４９０が収容される鎖収容箱１２０が形成されている。鎖収容箱１２０は、パレット１００の足部分を構成するアルミニウム製の棒状部材の隣接する部材の間の幅方向の両側面及び下面を、金属あるいは樹脂製のプレート部材により閉塞することにより形成する。パレット１００の、差込側板４４０がパレット１００の上面の縁部に立設される場合に差込側板４４０の下辺の連結用鎖４９０が垂れ下がる位置（連結用鎖４９０が差込側板４４０に固定設置されている位置）に対応する位置には、開口１２１が形成されており。鎖収容箱１２０には、この開口１２１を介して連結用鎖４９０が落とし込まれ収容される。
【００２３】
下金枠２００は、パレット１００の上面の短手方向の周縁に沿って設置され、側板４００の位置を規定するとともに、これらを組み立てる、あるいは折り畳むための支持部材である。下金枠２００は、パレット１００上の各角部に設置されるコーナー金具２４０と、コーナー金具２４０の短手方向間を接続するように配設される短手方向枠部２６０を有する。コーナー金具２４０及び短手方向枠部２６０は、溶接一体構造とし、パレット１００にビス止めあるいは溶接固定される。
【００２４】
コーナー金具２４０のパレット１００の長手方向と平行な面には、図２に示すように、固定側板４１０が設置される孔（固定側板設置孔）２４１が形成されている。固定側板設置孔２４１は、コーナー金具２４０の下辺近傍にパレット１００の上面に平行に形成された水平孔部分２４２と、水平孔部分２４２の内側端部からパレット１００の上面に垂直な上方向（高さ方向）にコーナー金具２４０の上辺近傍にまで伸びた垂直孔部分２４３とを有する。すなわち、固定側板設置孔２４１は、「Ｌ」字形状に形成された切り欠き（Ｌ字型切り欠き）である。
【００２５】
後述する固定側板４１０の両側端面の下部には、固定側板４１０の板面に平行に外側に突出したピン（回動ピン）４２０が設置されており、固定側板設置孔２４１には、この回動ピン４２０が水平孔部分２４２及び垂直孔部分２４３に沿って移動自在に嵌挿される。すなわち、パレット１００の短手方向に対向するように配置されたコーナー金具２４０の対向する面（パレット１００の長手方向に沿った面）の固定側板設置孔２４１に、１枚の固定側板４１０の両側端面下部の回動ピン４２０が嵌挿される。これにより固定側板４１０は、その下部が水平孔部分２４２及び垂直孔部分２４３に沿って案内される状態で、コーナー金具２４０に対して離脱不能に、換言すれば下金枠２００及びパレット１００にも離脱不能に保持される。
【００２６】
そして、固定側板４１０が垂直に立てられた状態で、回動ピン４２０が固定側板設置孔２４１の水平孔部分２４２の最も端部に移動された時、固定側板４１０は、その外面下部が短手方向枠部２６０の内側に密接し、外面底部がパレット１００の上面に密接し、また上方向には直接移動不能な状態となり、コンテナ１が組み立て状態の時の固定側板４１０の配置となる。
【００２７】
また、固定側板４１０のピン４２０が固定側板設置孔２４１の水平孔部分２４２の最も内側の位置あるいは垂直孔部分２４３に移動された時、固定側板４１０は上方向に移動可能な状態となり、回動ピン４２０を中心として回動可能な状態となり、パレット１００上に折り畳み可能な状態となる。この折り畳まれた状態（固定側板４１０の板面がパレット１００の上面と略平行な状態）の固定側板４１０の位置（高さ）は、固定側板設置孔２４１の垂直孔部分２４３の範囲内で任意の位置とすることができる。
【００２８】
コーナー金具２４０の固定側板設置孔２４１は、固定側板４１０をこのように移動、配置させるための孔である。換言すれば、固定側板４１０がこのような移動、配置ができるように、回動ピン４２０及び固定側板設置孔２４１の各配置、寸法等が決定される。そしてこれにより、固定側板４１０はパレット１００に立設（組み立て）及び折り畳み可能に一体化される。
【００２９】
コーナー金具２４０の高さは、４枚の側板４００、すなわち２枚の固定側板４１０及び２枚の差込側板４４０（一体化された第１の分割差込側板４５０及び第２の分割差込側板４７０）をパレット１００上に折り畳んだ際に、ちょうどそれらを収容できる高さとする。これにより、航空機用コンテナ１を折り畳んだ状態（航空機用コンテナ１を回送、保管等する場合等）においては、上蓋５００が直接、下金枠２００のコーナー金具２４０の上縁に被さるように装着され、パレット１００上に積層された（折り畳まれた）４枚の側板４００の上部が閉塞される。
【００３０】
底板３００は、図１に示すように、コンテナ１の収容空間の下面を規定する板部材であり、下金枠２００によりその位置が規定されて、パレット１００の上面に載置される。床板３００の材質は、本実施形態においてはプラスチック段ボール板であるが、合成樹脂板（発泡合成樹脂板を含む）、薄い金属板、合板、繊維板等でもよい。
【００３１】
側板４００は、パレット１００の上面周縁部に沿って立設され、コンテナ１の収容空間の側面を規定する板部材である。
側板４００は、一対の固定側板４１０及び一対の差込側板４４０を有する。また、差込側板４４０の各々は、固定側板４１０の対向する方向に沿って２分割されており、第１の分割差込側板４５０及び第２の分割差込側板４７０とされている。第１の分割差込側板４５０及び第２の分割差込側板４７０は、パレット１００上に立設される時には一体化されて１枚の差込側板４４０としてコンテナ１の収容空間の長手方向の側面を規定する。
【００３２】
一対の固定側板４１０は、矩形のパレット１００の短手方向枠部２６０が設置されている一方の対辺上に、各々短手方向枠部２６０に沿って相互に対向するように配置される。また、一対の差込側板４４０は、パレット１００の長手方向となるパレット１００の他方の対辺上に、各々パレット１００の長手方向に沿って相互に対向するように、また、固定側板４１０の両側縁を連結するように配置される。
【００３３】
固定側板４１０、差込側板４４０の第１の分割差込側板４５０及び第２の分割差込側板４７０は、各々、面部材の周囲に、左右上下の枠材が装着された構成である。面部材の材質は特に限定されないが、例えば床板３００と同様のプラスチック段ボール板、合成樹脂板（発泡合成樹脂板を含む）、薄い金属板、合板、繊維板等が用いられる。また枠部材は、例えば鋼材等の金属で構成される。
【００３４】
固定側板４１０は、図１に示すように、左枠材４１４及び右枠材４１５を有する。固定側板４１０のこれら左枠材４１４及び右枠材４１５は、図３（Ａ）に示すような断面構造を有する。なお、図３（Ａ）には、右枠材４１５を示す。左枠材４１４の断面構造は、右枠材４１５と対称である。
【００３５】
図示のごとく、右枠材４１５は、直交関係をなす（９０°をなす関係の）２つの溝、すなわち差込側板差込用溝４１６及び側板パネル差込用溝４１７を有する。差込側板差込用溝４１６には、側板４００をパレット１００上に立設して航空機用コンテナ１を組み立てる際に、固定側板４１０に隣接する差込側板４４０が差し込まれる。また、側板パネル差込用溝４１７は、固定側板４１０を製造する段階で側板パネルが差し込まれる溝である。
【００３６】
本実施形態の右枠材４１５においては、差込側板差込用溝４１６の略中央部に縦補強材４１８が形成されており、縦補強材４１８の端部側（奥側）が筒状部分４１９に形成されている。これにより、右枠材４１５の強度が高くなり、固定側板４１０の強度、差込側板４４０を支持する枠材としての強度も高くなり、航空機用コンテナ１の剛性を高めることができる。
【００３７】
また、このような右枠材４１５を用いた固定側板４１０においては、固定側板４１０の両側に形成されるこの筒状部分４１９部分に対して、固定側板４１０の下端部には前述した回動ピン４２０を、また、固定側板４１０の上端部には後述する上蓋スライド用ピン４３０を設けることができる。従って、差込側板差込用溝４１６に差し込まれる差込側板４４０と何ら干渉せずにこれらの回動ピン４２０及び上蓋スライド用ピン４３０を設置することができ好適である。
【００３８】
また、差込側板差込用溝４１６に筒状部分４１９が形成されたことにより、差込側板４４０（第１の分割差込側板４５０及び第２の分割差込側板４７０）の幅を若干狭くすることができる。その結果、後述するように上蓋５００がスライド移動されて固定側板４１０の外側に傾斜して立てかけられた際に、固定側板４１０の上蓋スライド用ピン４３０に係合し固定側板４１０の上方に迫り出している上蓋５００と干渉することなく、差込側板４４０（第１の分割差込側板４５０及び第２の分割差込側板４７０）を固定側板４１０に対して差し込み設置、あるいは、差し込み設置された状態からの抜き出しを行うことができ、航空機用コンテナ１の組み立て、折り畳み作業が効率よく容易に行える。
【００３９】
固定側板４１０の左枠材４１４及び右枠材４１５の側面の下部には、前述したように、コーナー金具２４０の固定側板設置孔２４１に嵌挿される回動ピン４２０が、固定側板４１０の板面に平行に外側に突出するように設置されている。この回動ピン４２０は、例えば図４に示すように、右枠材４１５の外側に配置されて回動ピン４２０自身となる六角穴付きボルト４２０に、右枠材４１５の筒状部分４１９内に配置された緩み防止付きナット４２１を係合させて構成している。このような構成においては、単に六角穴付きボルト（回動ピン）４２０を回しただけでは緩み防止付きナット４２１も共回りし、六角穴付きボルト（回動ピン）４２０と緩み防止付きナット４２１とを外すことはできない。従って、回動ピン４２０を固定側板４１０から取り外すことはできず、固定側板４１０を下金枠２００（パレット１００）から取り外すこともできない。
【００４０】
このような構成の固定側板４１０は、図２を参照して前述したように、回動ピン４２０がコーナー金具２４０の固定側板設置孔２４１に移動自在に嵌合されており、下金枠２００（パレット１００）と離脱不能とされている。そして、固定側板４１０を垂直に立てた状態で、回動ピン４２０が固定側板設置孔２４１の水平孔部分２４２の最も端部に移動させることにより、固定側板４１０は、その外面下部が短手方向枠部２６０の内側に密接し、その外面底部がパレット１００の上面に密接し、また上方向には直接移動不能な状態となり、組み立て状態の時の固定側板４１０の配置となる。また、固定側板４１０のピン４２０が固定側板設置孔２４１の水平孔部分２４２の最も内側の位置あるいは垂直孔部分２４３に移動された時、固定側板４１０は上方向に移動可能な状態となるとともに回動ピン４２０を中心として回動可能な状態となり、パレット１００上に折り畳み可能な状態となる。
【００４１】
また、図５（図１のＡの箇所の拡大図）に示すように、固定側板４１０の左枠材４１４及び右枠材４１５（図５においては右枠材４１５）の側面の上端部の、差込側板差込用溝４１６部分には、固定側板４１０間に差込側板４４０（第１の分割差込側板４５０及び第２の分割差込側板４７０）が差し込まれて設置された場合に、第１の分割差込側板４５０の左枠材４５４及び第２の分割差込側板４７０の右枠材４７５（図５においては第１の分割差込側板４５０の左枠材４５４）の外側表面の上端部に設置されている係合ナット４６１（４８１）が係合する「Ｌ」字型の係合切り欠き４２５が形成されている。
【００４２】
差込側板４４０の第１の分割差込側板４５０あるいは第２の分割差込側板４７０を固定側板４１０と連結する際には、第１の分割差込側板４５０あるいは第２の分割差込側板４７０を若干（係合切り欠き４２５の鉛直方向の溝長さ分）持ち上げて、また、固定側板４１０を僅かに外方向に傾倒させて、第１の分割差込側板４５０あるいは第２の分割差込側板４７０の係合ナット４６１（４８１）を係合切り欠き４２５に水平方向の溝に嵌入させる。その後、外方向に傾斜させていた固定側板４１０を内方向に戻すことにより、第１の分割差込側板４５０あるいは第２の分割差込側板４７０の係合ナット４６１（４８１）は係合切り欠き４２５の水平部分を滑り奥方向（係合切り欠き４２５の鉛直方向の溝方向）に移動する。そして、係合ナット４６１（４８１）が係合切り欠き４２５の水平方向の最も奥の位置に達したら、係合ナット４６１（４８１）は係合切り欠き４２５の鉛直方向の溝に落とし込まれ、その溝の最下部に位置される。その結果、第１の分割差込側板４５０あるいは第２の分割差込側板４７０を若干持ち上げていた状態が解消され、第１の分割差込側板４５０あるいは第２の分割差込側板４７０はパレット１００上に鉛直に立設された状態となる。
【００４３】
このように係合切り欠き４２５及び係合ナット４６１（４８１）を係合させることにより、第１の分割差込側板４５０及び第２の分割差込側板４７０、すなわち差込側板４４０と固定側板４１０とがその上部において一体化される。すなわち、差込側板４４０は、その上方向の移動が制限される。また、固定側板４１０においては、外方向への傾倒が制限される。その結果、コンテナ１は高い剛性で組み立て状態に維持される。
【００４４】
また、対向設置される一対の固定側板４１０の一方の固定側板４１０には、図９を参照して後述するように、その左枠材４１４及び右枠材４１５の側面の上部（筒状部分４１９（図３（Ａ）参照）の外側）に、上蓋スライド用ピン４３０が形成されている。上蓋スライド用ピン４３０は、固定側板４１０の板面に平行に外側に突出するように設置され、後述するように、上蓋５００の枠部５１２に形成された溝５１６に、上蓋５００が離脱不能でスライド移動可能に嵌合し、これにより、上蓋５００は固定側板４１０に対してスライド移動可能とするものである。
【００４５】
差込側板４４０は、前述したように、また図１に示すように、固定側板４１０の対向する方向、すなわちパレット１００の長手方向に沿って２分割されており、第１の分割差込側板４５０と第２の分割差込側板４７０により構成されるものとなっている。本実施形態において、差込側板４４０は第１の分割差込側板４５０と第２の分割差込側板４７０とに略二等分されている。
【００４６】
第１の分割差込側板４５０及び第２の分割差込側板４７０は、各々、左枠材４５４、４７４及び右枠材４５５、４７５を有する。これらのうち、固定側板４１０の差込側板差込用溝４１６に嵌合される側の枠材、すなわち、第１の分割差込側板４５０の左枠材４５４及び第２の分割差込側板４７０の右枠材４７５は、図３（Ｂ）に示すような断面構造を有する。なお、図３（Ｂ）には、第１の分割差込側板４５０の左枠材４５４（４７４）を示す。第２の分割差込側板４７０の右枠材４７５の断面構造は、第１の分割差込側板４５０の左枠材４５４と対称である。このような左枠材４５４を有する第１の分割差込側板４５０、及び、右枠材４７５を有する分割差込側板４７０は、図４に示すように、前述したように組み立て状態に配置された固定側板４１０の左枠材４１４及び右枠材４１５の差込側板差込用溝４１６に差し込まれることにより、下金枠２００のパレット１００の長手方向に沿ってパレット１００上に設置される。
【００４７】
また、第１の分割差込側板４５０の左枠材４５４及び第２の分割差込側板４７０の右枠材４５５の外側表面の上端部には、図５に示すように、係合ナット４６１、４８１が設置されている。前述したように、第１の分割差込側板４５０の左枠材４５４及び第２の分割差込側板４７０の右枠材４７５が、各々、隣接する固定側板４１０の左枠材４１４及び右枠材４１５の差込側板差込用溝４１６に差し込まれて設置された場合には、分割差込側板４５０、４７０の係合ナット４６１、４８１と固定側板４１０の係合切り欠き４２５とが係合される。これにより、第１の分割差込側板４５０及び第２の分割差込側板４７０は、その上方向の移動が制限され、また、固定側板４１０においては、外方向への傾倒が制限される。
【００４８】
これら第１の分割差込側板４５０及び第２の分割差込側板４７０は、各々が隣接する固定側板４１０に係合設置された後に、１枚の差込側板４４０に一体化される。
そのために、図１及び図６に示すように、第１の分割差込側板４５０には、右枠材４５５の外側に縦方向全域にわたって当て板４６２が装着されている。また、第２の分割差込側板４７０には、第１の分割差込側板４５０との連結側（固定側板４１０に係合する側の反対側）の側面の上部及び中間部に２箇所に、第１の分割差込側板４５０方向にピンが突出する丸落とし係止具４８２が設けられている。また、第２の分割差込側板４７０の中間部の丸落とし係止具４８２の近傍の左枠材４７４には、外側に向かって規制ピン４８３が形成されている。さらに、第１の分割差込側板４５０の当て板４６２の規制ピン４８３に対応する位置には、規制ピン係合孔４６３が形成されている。
なお、当て板４６２は溶接等により第１の分割差込側板４５０の右枠材４５５に設置される。
【００４９】
第１の分割差込側板４５０及び第２の分割差込側板４７０が各々両側の固定側板４１０に係合設置された場合には、第１の分割差込側板４５０の右枠材４５５の側端面と第２の分割差込側板４７０の左枠材４７４の側端面とはパレット１００の長手方向の中央部で略密接状態に対向する。この際、第２の分割差込側板４７０の規制ピン４８３が第１の分割差込側板４５０の規制ピン係合孔４６３に嵌入され、また、その両側端面が対向する位置の外側に第１の分割差込側板４５０に設置された当て板４６２が配置されるように、第１の分割差込側板４５０及び第２の分割差込側板４７０を各々設置する。
【００５０】
そしてこの状態において、第２の分割差込側板４７０の左上部及び左中間部に設けられた丸落とし係止具４８２のピンを突出させた状態とすることにより、第１の分割差込側板４５０に設置されている当て板４６２は第２の分割差込側板４７０の左枠材４７４と丸落とし係止具４８２のピンとの間に挟持されることとなり、これらの面間が略密接状態に維持され、面間に間隙が生じることが防止される。すなわち、第１の分割差込側板４５０の板面と第２の分割差込側板４７０の板面とが同一面内に維持される。
【００５１】
また、第２の分割差込側板４７０の規制ピン４８３が第１の分割差込側板４５０の規制ピン係合孔４６３に嵌入されているので、第１の分割差込側板４５０と第２の分割差込側板４７０とが鉛直方向あるいは水平方向にずれること、すなわち、第１の分割差込側板４５０と第２の分割差込側板４７０とが同一面内を平行移動することが防止される。さらに、丸落とし係止具４８２規制ピン４８３と規制ピン係合孔４６３の係合とともに第１の分割差込側板４５０の右枠材４５５の側端面と第２の分割差込側板４７０の左枠材４７４の側端面とは略密接状態に対向しているので、第１の分割差込側板４５０及び第２の分割差込側板４７０の相対的な回転移動も制限される。
従って、このような構造により、第１の分割差込側板４５０と第２の分割差込側板４７０とは一体化され、一の差込側板４４０を構成することとなる。
【００５２】
第１の分割差込側板４５０と第２の分割差込側板４７０は、このように一体化されて一の差込側板４４０として、パレット１００上の対向する固定側板４１０間に、固定側板４１０の差込側板差込用溝４１６に差し込まれた状態で設置されるが、本実施形態のコンテナ１は航空機用コンテナであって長手方向の長さが２２００ｍｍと長いので、両側を固定側板４１０の差込側板差込用溝４１６で保持したのみでは差込側板４４０が外側に膨らむ可能性がある。
【００５３】
この側板の膨らみを防止するために、差込側板４４０の第１の分割差込側板４５０及び第２の分割差込側板４７０各々の下枠材４５６，４７６の底面には、下方に向かって側板膨らみ防止ピン４６４，４８４が突出形成されている。また、パレット１００の、差込側板４４０をパレット１００上に立設した場合に側板膨らみ防止ピン４６４，４８４が配置される位置には、側板膨らみ防止ピン４６４，４８４が各々嵌入される側板膨らみ防止ピン挿入孔１２３、１２４が形成されている。
【００５４】
第１の分割差込側板４５０及び第２の分割差込側板４７０をパレット１００上に差込設置する場合には、側板膨らみ防止ピン４６４及び側板膨らみ防止ピン４８４が、各々、パレット１００の側板膨らみ防止ピン挿入孔１２３及び側板膨らみ防止ピン挿入孔１２４に嵌入されるように、第１の分割差込側板４５０及び第２の分割差込側板４７０をパレット１００上に載置する。
これにより、第１の分割差込側板４５０及び第２の分割差込側板４７０各々の下枠材４５６，４７６の外側方向への膨らみ、すなわち、第１の分割差込側板４５０及び第２の分割差込側板４７０の下部の外側方向への膨らみが防止される。
【００５５】
また、パレット１００の、第１の分割差込側板４５０と第２の分割差込側板４７０との連結部分、すなわち、パレット１００の長手方向の周縁部の中央部には、第１の分割差込側板４５０と第２の分割差込側板４７０との連結箇所をパレット１００の周縁に沿った所定の位置に保持するための側板保持溝２８０が設置されている。
側板保持溝２８０は、図７に示すように、角形パイプ２８１を両側に配置してその間を溝に形成したものである。
【００５６】
第１の分割差込側板４５０及び第２の分割差込側板４７０をパレット１００上に差込設置する場合には、その結合部、すなわち、第１の分割差込側板４５０及び第２の分割差込側板４７０各々の固定側板４１０と係合しない側の端部が、各々側板保持溝２８０の内部に配置されるように、第１の分割差込側板４５０及び第２の分割差込側板４７０をパレット１００上に載置する。
これにより、第１の分割差込側板４５０と第２の分割差込側板４７０の結合部、すなわち、差込側板４４０の中央部の外側方向への膨らみが防止される。
【００５７】
これら側板膨らみ防止ピン４６４，４８４、側板膨らみ防止ピン挿入孔１２３，１２４、及び、側板保持溝２８０の構成により、差込側板４４０の下辺付近の外側への膨らみが防止される。なお、差込側板４４０は、後述する上蓋５００により上辺位置が規制されることにより、その上辺においても外側への膨らみが防止され、これらにより差込側板４４０全体の外側に膨らみが防止される。
【００５８】
差込側板４４０は、前述したように固定側板４１０の左枠材４１４及び右枠材４１５に第１の分割差込側板４５０及び第２の分割差込側板４７０が差し込まれることにより設置されるものであり、第１の分割差込側板４５０及び第２の分割差込側板４７０はパレット１００、下金枠２００及び固定側板４１０から離脱可能に構成されているが、本実施形態の航空機用コンテナ１においては、各分割差込側板４５０、４７０は、図１に示すように、本発明に係る連結用鎖４９０によりパレット１００と連結されており、パレット１００等から分離されないように構成されている。
【００５９】
連結用鎖４９０は、図８（Ｂ）に示すように、金属製の鎖本体（４９０）の一方の端部に係止リング４９１が装着され、他方の端部に抜け止めリング４９２が装着されたものである。
連結用鎖４９０は、一方の端部の係止リング４９１が各分割差込側板４５０、４７０の下枠材４５６，４７６の内部に設置された係止部材４９３に係止され、各分割差込側板４５０、４７０と離脱不能な状態に連結されている。なお、係止部材４９３は、リベット又はネジ等である。
【００６０】
また、他方の端部の抜け止めリング４９２は、前述したパレット１００の鎖収容箱１２０内に配置されている。鎖収容箱１２０の開口１２１は、連結用鎖本体は通過できるものの、抜け止めリング４９２は通過できない大きさに形成される。換言すれば、そのような大きさの抜け止めリング４９２を連結用鎖４９０の他方の端部に装着する。これにより、図８（Ａ）に示すように、抜け止めリング４９２は鎖収容箱１２０から取り出せない状態となり、連結用鎖４９０の他方の端部は、パレット１００から離脱不能な状態にパレット１００に連結される。
そしてこの結果、各分割差込側板４５０、４７０は、固定側板４１０から抜き取った場合でも、連結用鎖４９０によりパレット１００に連結された状態に維持される。
【００６１】
一方の端部が各分割差込側板４５０、４７０の下枠材４５６，５７６に設置された連結用鎖４９０は、分割差込側板４５０、４７０の下面から外部に出ており、分割差込側板４５０、４７０の下面から垂れ下がる状態に分割差込側板４５０、４７０に設置される。また、パレット１００の鎖収容箱１２０及びその開口１２１は、前述したように、分割差込側板４５０、４７０が組み立てられた時に連結用鎖４９０が設置されている位置（垂れ下がる位置）に対応する位置に形成されている。
【００６２】
従って、分割差込側板４５０、４７０を固定側板４１０に差し込み航空機用コンテナ１を組み立て状態にする場合、連結用鎖４９０は、抜け止めリング４９２の自重により鎖収容箱１２０の中に落とし込まれていくこととなる。すなわち、分割差込側板４５０、４７０を通常の手順により固定側板４１０の差込側板差込用溝４１６に差し込む作業をすることにより、実質的に自動的に連結用鎖４９０はパレット１００の鎖収容箱１２０の内部に収容されていくこととなる。従って、連結用鎖４９０を設置したことにより航空機用コンテナ１の組み立て作業に新たな手順等が加わるものではなく、何ら作業が煩雑になるものではない。
【００６３】
また、差込側板４４０が組み立てられた状態においては、連結用鎖４９０は、図８（Ｂ）に示すように鎖収容箱１２０に完全に収容された状態となり、外部から（また、航空機用コンテナ１の収容空間内部からも）視認できない状態となる。従って、連結用鎖４９０が航空機用コンテナ１内部の収容物、あるいは、航空機用コンテナ１の周囲の物品等に干渉し破損等を生じさせることもない。
【００６４】
なお、連結用鎖４９０の長さは、連結用鎖４９０の全部がパレット１００の鎖収容箱１２０に収容可能であり、航空機用コンテナ１を折り畳んだ時に各分割差込側板４５０、４７０をパレット１００上に載置できる長さであり、また、分割差込側板４５０、４７０を各々抜き取って航空機用コンテナ１に物品の収容作業を行う時、あるいは、航空機用コンテナ１から物品を取り出す作業を行う時に分割差込側板４５０、４７０を退避させておける長さであれば任意の長さでよい。より具体的には、分割差込側板４５０、４７０の各々を隣接する固定側板４１０の外側に立てかけておいておく、あるいは、航空機用コンテナ１の近くの床面に寝かせておいておくというような状況を想定する場合には、連結用鎖４９０は、各々、そのような状況を実現できるような長さを確保する一方で、差込側板４４０を差し込む場合又は抜き取る場合に差込側板４４０を高く持ち上げなくてすむ長さであり、作業の邪魔にならない長さ程度にしておくことが好ましい。
【００６５】
また、連結用鎖４９０を構成する部材は、パレット１００と差込側板４４０とを連結するためには任意の材質の紐などの部材でも構成可能である。しかし、前述したような、連結用鎖４９０がその自重で鎖収容箱１２０に落とし込まれているという作用を実効的に実現するためには、連結用鎖４９０はある程度の重さを有するものが好ましく、また、鎖収容箱１２０の中で任意の方向に不要な応力を生じずに適宜曲げられて収容されていく形態の部材が好ましい。従って、金属製の鎖を用いるのが非常に好ましく効果的である。
また、同じ理由により、抜け止めリング４９２も、ある程度の重量のある部材、すなわち金属等で構成するのが好ましい。
【００６６】
上蓋５００は、パレット１００上に立設された側板４００（固定側板４１０及び差込側板４４０）により形成されるコンテナ１の収容空間の上部開口を閉塞する部材である。
本実施形態の航空機用コンテナ１においては、この上蓋５００も、差込側板４４０と同様にパレット１００の長手方向に２分割されている。すなわち、上蓋５００は、図１に示すように、第１の分割上蓋５１０、及び、第２の分割上蓋５４０を有する。
【００６７】
上蓋５００においては、第１の分割上蓋５１０及び第２の分割上蓋５４０は同じ大きさではない。第１の分割上蓋５１０の方が、第２の分割上蓋５４０よりも大きい分割部とされている。
上蓋５００を固定側板４１０と分離不能とするために、後述するように上蓋５００の第１の分割上蓋５１０は一方の固定側板４１０の上辺に沿ってスライド移動し分離不能な構成となっている。一方、航空機用コンテナ１を折り畳む時には、図１３を参照して後述するように、固定側板４１０はパレット１００上に倒され、上蓋５００はその上部を閉塞しなければならない。このような構成を実現するためには、固定側板４１０の上蓋スライド用ピン４３０がスライド移動する溝は、第１の分割上蓋５１０内において少なくとも固定側板４１０の高さと略等しい長さ以上の長さに形成される必要がある。そのために、本実施形態の航空機用コンテナ１では、上蓋５００を分割した一方の部材である第１の分割上蓋５１０が十分に大きく形成されており、相対的に他方の部材である第２の分割上蓋５４０が小さく形成されているものである。
【００６８】
また、上蓋５００においては、第１の分割上蓋５１０と第２の分割上蓋５４０とは分離された状態とはなっておらず、樹脂製蝶番５６０により相対的に折り曲げ可能（２枚折れ可能）な状態に接続された状態とされている。通常の使用形態としては、図１に矢印で示すように、また、図１０に示すように、大きさの小さい第２の分割上蓋５４０を樹脂製蝶番５６０の位置を基準として上方向に回動させ、その上面が第１の分割上蓋５１０の上面に重なるように完全に（１８０°）折り曲げられ（２枚折れ）、この状態で、蓋の開閉等が行われる。
【００６９】
樹脂製蝶番５６０は、上蓋５００の上面の第１の分割上蓋５１０と第２の分割上蓋５４０との分割領域の全域に装着されている。これにより、第１の分割上蓋５１０と第２の分割上蓋５４０の間から、雨水や塵、埃等がコンテナ１内部に侵入するのを防止している。
樹脂製蝶番５６０は、折り曲げ部分はゴムで形成されたラバーヒンジである。
【００７０】
本実施形態の航空機用コンテナ１においては、この上蓋５００も、航空機用コンテナ１本体から分離不可能な構成に形成されている。
【００７１】
上蓋５００（第１の分割上蓋５１０及び第２の分割上蓋５４０の各々）は、図１に示すように、前述した固定側板４１０、第１の分割差込側板４５０及び第２の分割差込側板４７０と同様に、面部材としての上面パネル５１１、５４１の周囲に、枠材としての枠部５１２、５４２が装着された構成である。上面パネル５１１、５４１の材質は特に限定されないが、例えば床板３００と同様のプラスチック段ボール板、合成樹脂板（発泡合成樹脂板を含む）、薄い金属板、合板、繊維板等が用いられる。また枠部は、例えば鋼材等の金属で構成される。
【００７２】
図９（Ａ）は、上蓋５００の第１の分割上蓋５１０の差込側板４４０に平行な辺部である図１のＤの箇所における断面図である。
図１及び図９（Ａ）に示すように、第１の分割上蓋５１０の枠部５１２は、上面パネル５１１の上面の周辺部を押さえる枠部上部５１３と、上面パネル５１１の周辺を押さえるとともに側板４００の上縁部の外周側に配置されて側板４００の上部を嵌合保持する枠部縁部５１４を有する。これにより、第１の分割上蓋５１０は、パレット１００上に立設された側板４００の上縁部に嵌合され、コンテナ１の収容空間の上部開口を覆っている。
【００７３】
第１の分割上蓋５１０の差込側板４４０に平行な辺部の枠部縁部５１４には、内側に、凸条部５１５が形成されており、枠部上部５１３の内側面との間に係合スライド溝５１６が形成されている。この係合スライド溝５１６に、一方の固定側板４１０の左枠材４１４及び右枠材４１５に形成された上蓋スライド用ピン４３０が嵌合される。これにより、第１の分割上蓋５１０は、その一方の固定側板４１０の上辺部（上蓋スライド用ピン４３０）に対して、差込側板４４０の板面に平行な方向（固定側板４１０の板面に垂直な方向）に沿ってスライド移動可能に、また、その固定側板４１０から離脱不能に、その固定側板４１０に対して設置される。
【００７４】
そして、前述したように、上蓋５００は第１の分割上蓋５１０と第２の分割上蓋５４０とに分割されており、第２の分割上蓋５４０は第１の分割上蓋５１０の上面に２枚折れされるようになっているので、上蓋５００の開閉は、第２の分割上蓋５４０を第１の分割上蓋５１０に２枚折れする段階と、第１の分割上蓋５１０を固定側板４１０の上辺に沿ってスライド移動させる段階との２段階で開閉されることとなる。
【００７５】
このような構成の航空機用コンテナ１の使用形態、すなわち、組み立てた状態における開閉方法、組み立て方法（組み立て手順）及び折り畳み方法（折り畳み手順）について、図１０〜図１３を参照して説明する。
【００７６】
まず、このような構成の航空機用コンテナ１において、組み立てられた状態で物品の収容、あるいは取り出しを行う場合の方法について図１０を参照して説明する。
図１０（Ａ）に示すように、航空機用コンテナ１が組み立てられて上蓋５００が閉塞された状態から、航空機用コンテナ１を開放するためには、まず、図１０（Ｂ）に示すように、上蓋５００の小さい方の分割上蓋である第２の分割上蓋５４０を持ち上げて樹脂製蝶番５６０を中心に回動し、図１０（Ｃ）に示すように第１の分割上蓋５１０の上面に２枚折りの状態に載置する。
【００７７】
次に、第１の分割上蓋５１０（第２の分割上蓋５４０）の樹脂製蝶番５６０側の端辺を持ち上げ、図１０（Ｄ）に示すように、第１の分割上蓋５１０を固定側板４１０方向に徐々に押す。これにより、固定側板４１０の上蓋スライド用ピン４３０が第１の分割上蓋５１０の係合スライド溝５１６内を移動し（図９（Ａ）参照）、第１の分割上蓋５１０（第２の分割上蓋５４０）は固定側板４１０の上辺に沿ってスライド移動する。
【００７８】
そして、図１０（Ｅ）に示すように、固定側板４１０の上蓋スライド用ピン４３０が第１の分割上蓋５１０の係合スライド溝５１６の端部まで移動し、第１の分割上蓋５１０（第２の分割上蓋５４０）が固定側板４１０の上蓋スライド用ピン４３０に係止する状態か、あるいは、図示省略するが、第１の分割上蓋５１０が固定側板４１０の外側において端部が床面に着地する状態まで移動させることにより、航空機用コンテナ１の上部開口が開放された状態となる。
この状態においては、差込側板４４０（第１の分割差込側板４５０及び第２の分割差込側板４７０）の抜き出しが可能となるため、これらを抜き取って、図１０（Ｅ）に示すように、各々近接する固定側板４１０の外側にたてかける。
これにより、航空機用コンテナ１の内部の物品の取り出し、あるいは、航空機用コンテナ１への物品の収容が容易に行える状態となる。
【００７９】
また、図１０（Ｅ）に示すような状態から航空機用コンテナ１を閉める場合には、前述の手順と全く逆の手順を行えばよい。すなわち、まず、第１の分割差込側板４５０及び第２の分割差込側板４７０を固定側板４１０間に差し込み、第１の分割上蓋５１０の固定側板４１０から遠い側の辺部（着地している側の辺部）を持ち上げて、図１０（Ｄ）に示すようにスライド移動させ、図１０（Ｃ）に示すように徐々に第１の分割上蓋５１０の姿勢を水平方向に倒しながらさらにスライド移動させる。そして図１０（Ｃ）に示すように、上蓋スライド用ピン４３０が係合スライド溝５１６の端部まで移動したら、図１０（Ｂ）に示すように、第１の分割上蓋５１０の上に２枚折りにしていた第２の分割上蓋５４０を回動させて元に戻し、第２の分割上蓋５４０の端辺を固定側板４１０の上辺に嵌合させる。これにより、図１０（Ａ）に示すように、航空機用コンテナ１の上部開口が上蓋５００により閉塞される。
【００８０】
次に、航空機用コンテナ１を組み立てる場合について図１１を参照して説明する。
なお、上蓋５００の折り畳みについては図１０を参照して前述したので、ここでは上蓋５００は、第１の分割上蓋５１０と第２の分割上蓋５４０とが一体化された一の上蓋５００として説明を行う。
【００８１】
航空機用コンテナ１を組み立てる場合には、図１１（Ａ）に示すように、折り畳まれた航空機用コンテナ１の最上部に配置されている上蓋５００及び上蓋５００が連結されている固定側板４１０を一体的に起こしあげ、その固定側板４１０をパレット１００上に立設する。
次に、図１１（Ｂ）に示すように、対向する固定側板４１０を起こし、パレット１００上に立設する。
【００８２】
次に、図１１（Ｃ）に示すように、パレット１００上に載置されている各々２枚の第１の分割差込側板４５０及び第２の分割差込側板４７０を各々起こして、図１１（Ｄ）に示すように、既に対向配置されている固定側板４１０を若干逆ハの字形に外側に開きながら、各々、対向する差込側板差込用溝４１６に差し込む。航空機用コンテナ１が折り畳まれている時、第１の分割差込側板４５０と第２の分割差込側板４７０とは連結して一体化されてパレット１００上に載置されているので、これを起こす場合には、丸落とし係止具４８２（図１、図６参照）を開放し、規制ピン４８３と規制ピン係合孔４６３との係合状態を解除して、第１の分割差込側板４５０及び第２の分割差込側板４７０を各々個別に起こすのが作業性の点から有効である。
【００８３】
また、各分割差込側板４５０、４７０を固定側板４１０の差込側板差込用溝４１６に差込側板４４０を差し込む場合には、図６及び図７に示すように、差込側板４４０の下辺に連結されている連結用鎖４９０を、パレット１００の鎖収容箱１２０に落とし込みながら差し込んでいく。
【００８４】
また、各分割差込側板４５０、４７０が底部近くまで差し込まれたら、図５を参照して前述したように、各分割差込側板４５０、４７０の上端部に設置されている係合ナット４６１、４８１を固定側板４１０の係合切り欠き４２５に係合させ、各分割差込側板４５０、４７０をパレット１００上に載置する。
【００８５】
さらに、各分割差込側板４５０、４７０を最終的にパレット１００上に載置する際には、分割差込側板４５０、４７０の側板膨らみ防止ピン４６４、４８４が、パレット１００の側板膨らみ防止ピン挿入孔１２３、１２４に嵌入され、また、各分割差込側板４５０、４７０の下枠材４５６，４７６が側板保持溝２８０に嵌入されるようにする。
【００８６】
各分割差込側板４５０、４７０をパレット１００上に載置したら、第２の分割差込側板４７０の丸落とし係止具４８２をピンが突出した状態とし、第２の分割差込側板４７０の左枠材４７４と丸落とし係止具４８２との間に第１の分割差込側板４５０の右枠材４５５を挟持する状態とする。
これにより、組み立て時に固定側板４１０の外側へのハの字の開きを防止され、図１１（Ｅ）に示すように、航空機用コンテナ１が箱状に維持される。
【００８７】
そして、最後に、図１１（Ｆ）に示すように、前述したように上蓋５００をスライド移動させることにより、航空機用コンテナ１の組み立てが完了する。
【００８８】
次に、航空機用コンテナ１を折り畳む場合について図１２及び図１３を参照して説明する。
なお、ここでも、図１２を参照して説明する範囲においては、上蓋５００の折り畳みについては詳細な説明を省略する。
【００８９】
航空機用コンテナ１が組み立てられている状態から、まず、図１２（Ａ）に示すように、また前述したように、上蓋５００を２枚折り及びスライド移動させて、図１２（Ｂ）に示すように、固定側板４１０の外側に傾倒した状態とする。
次に、図１２（Ｃ）に示すように、差込側板４４０を抜き取る。この時はまず、第２の分割差込側板４７０の丸落とし係止具４８２を解錠状態として、丸落とし係止具４８２による第１の分割差込側板４５０と第２の分割差込側板４７０との連結を解除する。
次に、各分割差込側板４５０、４７０を各々少し持ち上げ、固定側板４１０を若干外側に傾倒させながら、各分割差込側板４５０、４７０の係合ナット４６１、４８１と固定側板４１０の係合切り欠き４２５との係合を解除し、分割差込側板４５０、４７０を抜き取る。
【００９０】
各分割差込側板４５０、４７０を抜き取ったら、図１２（Ｄ）に示すように、抜き取った各分割差込側板４５０、４７０を各々パレット１００上に載置する。そして、分割差込側板４５０、４７０をパレット１００上に倒した状態で、再度、第１の分割差込側板４５０と第２の分割差込側板４７０とを連結し一体化する。すなわち、第２の分割差込側板４７０の規制ピン４８３を第１の分割差込側板４５０の規制ピン係合孔４６３に嵌入し、丸落とし係止具４８２を施錠状態として第２の分割差込側板４７０の左枠材４７４と丸落とし係止具４８２との間で第１の分割差込側板４５０の当て板４６２を挟持する。これにより、各分割差込側板４５０、４７０は一体化されて、一の差込側板４４０としてパレット１００上に倒された状態となる。
【００９１】
次に、図１２（Ｅ）に示すように、上蓋５００が連結されていない方の固定側板４１０をパレット１００上に傾倒させ、その後、図１２（Ｆ）に示すように、上蓋５００が連結されている固定側板４１０を、上蓋５００と一体的にパレット１００上に傾倒させる。
この際、上蓋５００は、図１３（Ａ）に示すように、第２の分割上蓋５４０が第１の分割上蓋５１０の上に２枚折りにされた状態である。
【００９２】
固定側板４１０及び上蓋５００を、図１３（Ｂ）に示すように、既にパレット１００上に載置されている差込側板４４０及び対向する固定側板４１０の上に載置したら、図１３（Ｃ）に示すように、第１の分割上蓋５１０の上に２枚折りされていた第２の分割上蓋５４０の端部を持って起こし、樹脂製蝶番５６０の箇所を中心に回動させて、図１３（Ｄ）に示すように、他方の下金枠２００に嵌合させる。これにより、航空機用コンテナ１の折り畳みが完了する。
【００９３】
このように、本実施形態の航空機用コンテナ１においては、差込側板４４０及び上蓋５００を分割した構成としたので、航空機用コンテナのような大型のコンテナにおいても、作業者が容易に組み立て、あるいは折り畳みをできるようになり、そのような大型の組み立て式コンテナを実用に供することができる。
すなわち、航空機などにより効率よく物品の搬送等が可能な組み立て式コンテナを提供することができる。
【００９４】
また、航空機用コンテナ１においては、分割された差込側板４４０、上蓋５００の各部、すなわち、各分割差込側板４５０、４７０、第１の分割上蓋５１０及び第２の分割上蓋５４０を含めて、航空機用コンテナ１の全ての部材はパレット１００に連結された状態である。従って、航空機用コンテナ１の使用時に、その一部、すなわち上蓋や側板のような着脱自在な部材（部品）を紛失することが無く、常に、必要な部材が揃っている状態を維持することができる。また、他のコンテナ部材が混入するなどの状態を防止し易くなる。
【００９５】
また、そのように各部材が連結されている状態ながら、航空機用コンテナ１の組み立て、折り畳み、あるいは、組み立てられた状態（使用時）における物品の収容あるいは取り出しは、何ら連結部材などの制約を受けることなく、効率よく利便性高く行うことができる。
従って、航空機用コンテナ１は、航空機等により物品を搬送する際のコンテナとして、さらに、部材の検査等の種々のチェックが行われる国外との物品の搬送等に供するコンテナとして、非常に有用である。
【００９６】
なお、本発明は、前述した実施形態に限定されるものではなく、本発明の範囲内で種々に改変することができる。
【００９７】
例えば、上蓋５００の第１の分割上蓋５１０をスライド移動可能に設置する機構としては、任意の機構でよい。
第１の分割上蓋５１０の枠部縁部５１４の長手方向に、上蓋スライド用ピン４３０が嵌挿可能な長穴を形成し、これに上蓋スライド用ピン４３０を挿入し、第１の分割上蓋５１０をスライド移動するようにしてもよい。このような構成であれば、枠部縁部５１４に凸条部５１５を形成する必要がなく、枠部縁部５１４に開口（長穴）を形成すればよいので、加工作業が簡単になる上に必要部材も少なくてすみ好適である。
【００９８】
また、第１の分割上蓋５１０の枠部縁部５１４を断面コの字状に形成することにより内側に溝を形成し、この溝に上蓋スライド用ピン４３０を挿入し第１の分割上蓋５１０をスライド移動可能にしてもよい。このような構成であれば、第１の分割上蓋５１０の枠部５１２あるいはその枠部縁部５１４の強度を高くすることができて好適である。
本発明は、例えばこのような形態で実現してもよい。
【符号の説明】
【００９９】
１…航空機用コンテナ
１００…パレット
１１０…リフト挿入用空間
１２０…鎖収容箱（紐状部材収容部）
１２１…開口
１２３，１２４…側板膨らみ防止ピン挿入孔
２００…下金枠
２４０…コーナー金具
２４１…固定側板設置孔
２４２…水平孔部分
２４３…垂直孔部分
２６０…短手方向枠部
２８０…側板保持溝
２８１…角形パイプ
３００…底板
４００…側板
４１０…固定側板
４１４…左枠材
４１５…右枠材
４１６…差込側板差込用溝
４１７…側板パネル差込用溝
４１８…縦補強材
４１９…筒状部分
４２０…回動ピン（六角穴付きボルト）
４２１…緩み防止付きナット
４２５…係合切り欠き
４３０…上蓋スライド用ピン
４４０…差込側板
４５０…第１の分割差込側板
４５４…左枠材
４５５…右枠材
４５６…下枠材
４６１…係合ナット
４６２…当て板
４６３…規制ピン係合孔
４６４…側板膨らみ防止ピン
４７０…第２の分割差込側板
４７４…左枠材
４７５…右枠材
４７６…下枠材
４８１…係合ナット
４８２…丸落とし係止具
４８３…規制ピン
４８４…側板膨らみ防止ピン
４９０…連結用鎖（紐状部材）
４９１…係止リング
４９２…抜け止めリング
４９３…係止部材
５００…上蓋
５１０…第１の分割上蓋
５１１…上面パネル
５１２…枠部
５１３…枠部上部
５１４…枠部縁部
５１５…凸条部
５１６…係合スライド溝
５４０…第２の分割上蓋
５６０…樹脂製蝶番（蝶番部材）
【図１】
0005626075.tif 000002
【図２】
0005626075.tif 000003
【図３】
0005626075.tif 000004
【図４】
0005626075.tif 000005
【図５】
0005626075.tif 000006
【図６】
0005626075.tif 000007
【図７】
0005626075.tif 000008
【図８】
0005626075.tif 000009
【図９】
0005626075.tif 000010
【図１０】
0005626075.tif 000011
【図１１】
0005626075.tif 000012
【図１２】
0005626075.tif 000013
【図１３】
0005626075.tif 000014